(57)【要約】【課題】一度に多量の水を排水する際の排水トラップであり、横引き管に繋がる太径の管内のエアがトラップ側に無理なく逃げることができ、排水時の水の流れがスム−ズであり、特にサイフォン排水システムに適用した際には横引き管内へのエアの巻き込み量が減り、サイフォン力によって満流流れとなり、速やかに排水できることとなった。【解決手段】横引き管に繋がる太径の管と連結される差し込み口が横向きに配設された排水用トラップであって、前記差し込み口の上端部でトラップに接続する接続口を拡大したものであり、例えば、トラップに接続する部位の封水形成部を下方に変位させて接続口を拡大したトラップである。１０‥排水トラップ、１０ａ‥内筒、１０ｂ‥外筒、１０ｄ‥トラップの底部、１１‥洗い場側排水口、１２‥連結管、１３‥差し込み口、１４‥接続口、Ｈ‥封水形成部。【選択図】図３
2007154598.tif 000002
【特許請求の範囲】
【請求項１】
横引き管に繋がる太径の管と連結される差し込み口が横向きに配設された排水用トラップであって、前記差し込み口の上端部でトラップに接続する接続口を拡大したことを特徴とする排水トラップ。
【請求項２】
前記差し込み口の上端部でトラップに接続する部位に膨出部を形成して接続口を拡大した請求項１記載の排水トラップ。
【請求項３】
前記差し込み口の上端部でトラップに接続する部位の封水深さを維持しつつ、トラップの底部を下げることにより接続口を拡大した請求項１記載の排水トラップ。
【請求項４】
前記差し込み口をトラップより後退させ、トラップに接続する接続口を拡大した請求項１記載の排水トラップ。
【請求項５】
一度に多量の水を排水する器具に接続し、雑排水管に繋がる太径の短管が横向きに配設された排水トラップであって、前記短管の上端部でトラップに接続する接続口を拡大し、当該接続口の下側をトラップ側からの排水流路とし、該接続口の上側を短管側からトラップ側へのエア流路としたことを特徴とする排水トラップ。
【請求項６】
前記排水トラップが、サイフォン排水システムに用いられた請求項１乃至５いずれか１記載の排水トラップ。
【発明の詳細な説明】
【技術分野】
【０００１】
本発明は排水トラップに関するものであり、例えばユニットバス（ＵＢ）等の一度に多量の水を排水する器具に用いられる排水トラップに係るものである。
【背景技術】
【０００２】
従来より、ＵＢ等の排水は、例えば洗い場側に排水トラップを備え、これに浴槽からの排水管を合流させ、このトラップに太径の短管が備えられ、次いでこれに所定の勾配をもって横引き管が接続される構造となっている。
【０００３】
図１は一般に用いられているＵＢ用の排水トラップ１０を示す図であり、通常は洗い場側の排水が排水口１１より直接トラップ１０内に流入し、浴槽側の排水は図示しない排水口より比較的短い管１２等をもってトラップ１０内に流れ込む構造となっている。そして、このトラップ１０内には内筒１０ａが備えられ、主として洗い場側の排水がこの内筒１０ａの下端部を潜り抜ける。そして、図示しない太径の管と連結される差し込み口１３に臨む外筒１０ｂの上端より排水が流れ出るものであり、かかる差し込み口１３は一定の勾配をもって横引き管に繋がる構造となっている。トラップ機構は１０ｂの上端部と１０ａの下端部との間で水が貯留されることにより形成される。
【０００４】
しかるに、係る構造の排水システムにあっては、トラップ内に多量の水が流れ込んだ場合には、洗い場側に排水が吹き出してしまうというケ−スも見られ、解決が要請されていた。これは洗濯機の場合も同様であり、洗濯機内の排水が防水パン内に逆流することともなっていた。
【０００５】
又、近年に至り、新しい排水システムとしてサイフォン力を利用する排水システム（サイフォン排水システム）が開発されている（特許文献１）。
【０００６】
【特許文献１】特開２０００ー２９７４４７号公報
【０００７】
サイフォン排水システムの概要は、排水立て管、水回り器具、横引き管、立て管への合流部からなり、水回り器具に横引き管が床に対して無勾配で配管され、前記合流部へ繋がれるものである。この合流部は水回り器具がある床よりも低い位置（好ましくは１階分階下）に形成されたものであり、水頭（落差）の分だけサイフォン力が生じるものであり、横引き管内にはエアがなく排水は満流流れにて排水されることとなる。
【０００８】
このサイフォン排水システムは極めて新しい技術であるため、このシステムに適する排水トラップの開発には至っておらず、上記した既存の勾配排水システムのトラップをそのまま用いるのが現状であった。しかしながら、勾配排水システムのトラップをそのまま用いる場合には、横引き管内のエアがうまく排出されないため、排水口から排水があふれ出る可能性があった。
【発明の開示】
【発明が解決しようとする課題】
【０００９】
本発明は、上記のような従来の技術に鑑みてなされたものであり、一度に多量の水を排水する際の新たな排水トラップを提供するものであり、サイフォン排水システムは勿論、従来の勾配排水システムにも適するような構造としたものである。
【課題を解決するための手段】
【００１０】
本発明の要旨は、横引き管に繋がる太径の管と連結される差し込み口が横向きに配設された排水用トラップであって、前記差し込み口の上端部でトラップに接続する接続口を拡大したことを特徴とする排水トラップに係るものである。
【００１１】
更に具体的な構造としては、一度に多量の水を排水する器具に接続し、横引き管に繋がる太径の管と連結される差し込み口が横向きに配設された排水トラップであって、前記差し込み口の上端部でトラップに接続する接続口を拡大し、当該接続口の下側をトラップ側からの排水流路とし、該接続口の上側を太径の管側からトラップ側へのエア流路としたことを特徴とするものである。
【発明の効果】
【００１２】
本発明の排水トラップにあっては、横引き管に繋がる太径の管内のエアがトラップ側に無理なく逃げることができ、従って、排水時の水の流れがスム−ズであり、特にサイフォン排水システムに適用した際には、速やかに排水できることとなったものである。
【発明を実施するための最良の形態】
【００１３】
以下、本発明をサイフォン排水システムを代表して説明するが、これに限定されるものではなく、従来の勾配排水システムの排水トラップにも適用できることは勿論である。
【００１４】
さて、サイフォン排水システムにあって、サイフォン開始時の横引き管内のエア抜けをしやすい構造とした排水トラップが提供できたものであり、横引き管内のエアを抜けやすくするために、接続口を大きくしたトラップとしたものである。即ち、トラップと横引き管に繋がる太径の管の接続口となる部位を上下方向に拡大させ、その接続口の下部を水がトラップ側から下流へ流れ、上部をエアがトラップ側に抜ける構造としたものである。
【００１５】
かかる接続口を大きくする構造として、前記短管の上端部でトラップに接続する接続口を好ましくは上下に拡大したもので、その具体例の第１は、短管の上端部でトラップに接続する部位に膨出部を形成する、第２はトラップに接続する部位の封水深さ（Ｈ）を維持しつつ、トラップの底部を下方に変位させて接続口を拡大する、第３は短管をトラップより後退させる、等の形態にて結果として接続口を拡大したものである。
【００１６】
いずれにしろ、雑排水管への接続口をひろげ、その下部を排水が下流へ、上部をエアがトラップ側へ流れるようにしたものである。尚、上部のエアが通る部分には、バイパスを設置し水が通らないようにすることもできる。
【実施例】
【００１７】
以下、図面をもって本発明の排水トラップを更に詳細に説明する。図２は図示しない太径の管と接続される差し込み口１３の上端部で、トラップの外筒１０ｂに接続する部位に膨出部１５を形成して結果として接続口１４を上下に広げた形態のものである。尚、図１に用いた符号はそのまま適用できるためここでは詳細を省略する。
【００１８】
図例におけるかかる膨出部１５はトラップ１０の外筒１０ｂの上縁全周に一般に用いられている管状のアングル材１０ｇよりも幅の大きいアングル材１０ｃを適用して構成したものであり、これによって実質的に差し込み口１３の接続口１４を広げたものである。従って、排水時にはトラップ１０側よりその接続口１４の下側を差し込み口１３側（及び図示しない太径の管側）に流れ、一方、差し込み口１３（及び図示しない太径の管）内のエアは接続口１４の上側をトラップ１０側に向けて流れることになり、排水時に差し込み口１３（及び図示しない太径の管）内にエアが残ることなく排水を可能としたものである。尚、内筒１０ａとトラップの外筒１０ｂが重なり合う深さを封水深さ（Ｈ）という。
【００１９】
図３は差し込み口１３の接続口１４にあって、トラップ１０の外筒１０ｂの封水深さＨ、言い換えれば封水形成部を一定として、このまま下方に変位させて実質的に接続口１４を拡大したものであり、この例ではその分トラップ１０全体の底部１０ｄを下げたものである。
【００２０】
図４は差し込み口１３を実質的に横方向にスライドさせて取り付けた例であり、管状アングル材１０ｇを用いず、その分だけ接続口１４が広がったものである。
【００２１】
図３及び図４にあっても、差し込み口を拡大した接続口のうち、トラップ側からの排水は接続口の下部を通って下流側へ排出し、接続部の上部をエアがトラップ側へ流れるようにしたものである。
【００２２】
図５は従来の洗濯機用排水トラップ２０を示す図であり、洗濯機からの排水は中央に突設したパイプ２１よりトラップ２０内に流れ込み、一方、防水パンからの水はパイプ２１の周囲の穴２２よりトラップ２０内に流れ込む構造となっている。そして、このトラップ２０内には二重内筒２０ａ、２０ｂが備えられ、洗濯機側の排水がこの内筒２０ａの下端部を潜り抜け、一方の防水パン側の排水は内筒２０ｂの下端部を潜ることとなる。尚、トラップ機構は１０ｂの上端部と１０ａの下端部との間で水が貯留されることにより形成される。そして、差し込み口２３に臨む内筒２０ａの上縁を乗り越えて水が流れ出るものであり、かかる差し込み口２３は一定の勾配をもって横引き管に繋がる構造となっている。前記したように、洗濯機側の排水量が多い場合には、内筒２０ｂ側に入り込んだ水が逆流して穴２２より防水パン上に吹き出すことともなっていた。
【００２３】
図６は図５に示した洗濯機用の排水トラップ２０を改良したものであり、横引き管に繋がる差し込み口２３の上端部で、トラップの外筒２０ｃに接続する部位に膨出部２５を形成して結果として接続口２４を上下に広げた形態のものである。
【００２４】
図例におけるかかる膨出部２５はトラップ２０の外筒２０ｃの上縁に管状の幅の大きいアングル材２０ｄを適用して構成したものであり、これによって実質的に差し込み口２３の接続口２４を広げたものである。従って、排水時にはトラップ２０側よりその接続口２４の下側を差し込み口２３側に流れ、一方、差し込み口２３内のエアは接続口２４の上側をトラップ２０側に向けて流れることになる。
【００２５】
図７はバイパス２６を備えて接続口２４を拡大したものであり、バイパス２６を差し込み口２３の上端とトラップ２０の上端とを結んだものである。これによって、差し込み口２３の接続口２４を実質的に拡大したものである。
【産業上の利用可能性】
【００２６】
本発明は以上の通りであり、主として一度に多量の水を排水する器具に適用する排水トラップを提供したものであり、従来の勾配排水システムに用いることができるばかりでなく、サイフォン排水システムに適する構造としたものである。特に、サイフォン排水システムに適用した場合には、横引き管内のエアを効果的に排出する構造としたものであり、所期の通りのサイフォン力をタイムラグなく発生することができることとなり、その効果は極めて大きい。
【図面の簡単な説明】
【００２７】
【図１】図１は勾配排水システムにおける（ＵＢ用）排水トラップを示す図で、（Ａ）は平面半図、（Ｂ）は半裁断面図である。
【図２】図２は本発明の第１例を示す（ＵＢ用）排水トラップである。
【図３】図３は本発明の第２例を示す（ＵＢ用）排水トラップである。
【図４】図４は本発明の第３例を示す（ＵＢ用）排水トラップである。
【図５】図５は勾配排水システムにおける（洗濯機用）排水トラップを示す図で、（Ａ）は平面半図、（Ｂ）は半裁断面図である。
【図６】図６は本発明の第４例を示す（洗濯機用）排水トラップである。
【図７】図７は本発明の第５例を示す（洗濯機用）排水トラップである。
【符号の説明】
【００２８】
１０、２０‥排水トラップ、
１０ａ、２０ａ、２０ｂ‥内筒、
１０ｂ、２０ｃ‥外筒、
１０ｃ、２０ｄ‥管状アングル材、
１０ｄ‥トラップの底部、
１１‥洗い場側排水口、
１２‥連結管、
１３、２３‥差し込み口、
１４、２４‥接続口、
１５、２５‥膨出部、
２１‥パイプ、
２２‥穴、
２６‥バイパス、
Ｈ‥封水深さ（封水形成部）。
【図１】
2007154598.tif 000003
【図２】
2007154598.tif 000004
【図３】
2007154598.tif 000005
【図４】
2007154598.tif 000006
【図５】
2007154598.tif 000007
【図６】
2007154598.tif 000008
【図７】
2007154598.tif 000009